(57)【特許請求の範囲】
【請求項１】
集塵室と、電動送風機と、前記電動送風機の吸込口と前記集塵室を連通するダクトと、前記ダクトの開口を分割するように形成される複数の桟部材と、を備え、
前記吸込口が前記開口と対向するように前記電動送風機が取り付けられる電気掃除機であって、
前記桟部材の、前記吸込口と対向する部分が、他の部分よりも前記吸込口側に厚みを増し、当該吸込口に向かって平板状に起立する整流リブが形成されていることを特徴とする電気掃除機。
【請求項２】
上下方向に直線状に形成される前記桟部材の、前記吸込口と対向する部分に前記整流リブが形成されていることを特徴とする請求項１に記載の電気掃除機。
【請求項３】
フィルタシートがひだ状に折り畳まれて形成されるフィルタ部が、前記開口と対向するように前記集塵室に備わり、
前記フィルタ部のひだの折り目の方向に沿って直線状に形成される前記桟部材の、前記吸込口と対向する部分に前記整流リブが形成されていることを特徴とする請求項１に記載の電気掃除機。
【請求項４】
前記フィルタ部のひだの折り目の方向が上下方向になるように、前記フィルタ部が前記集塵室に備わることを特徴とする請求項３に記載の電気掃除機。
【請求項５】
前記複数の桟部材は、
１つの環状部材または同心円状に配置される複数の環状部材と、前記環状部材の半径方向に延びる複数の棒状部材と、であること、
または、上下方向に形成される少なくとも１つの棒状部材と、前記上下方向に形成される棒状部材と交差するように形成される少なくとも１つの棒状部材と、であること、を特徴とする請求項１乃至請求項４のいずれか１項に記載の電気掃除機。
【発明の詳細な説明】
【技術分野】
【０００１】
本発明は、電動送風機で吸引する空気に含まれる塵埃を集塵する電気掃除機に関する。
【背景技術】
【０００２】
電動送風機で空気を吸引し、空気とともに吸引される塵埃を捕集して集塵する電気掃除機は広く知られている。例えば、特許文献１や特許文献２には、本体ケースの前側に形成される集塵ユニット収納部に内置される集塵ユニット（集塵室）の後側に電動送風機を配置し、空気とともに吸引する塵埃を集塵ユニットで集塵する電気掃除機が開示されている。
【先行技術文献】
【特許文献】
【０００３】
【特許文献１】特許第４２６１５５４号公報
【特許文献２】特開２００８−３０７３１７号公報
【発明の概要】
【発明が解決しようとする課題】
【０００４】
例えば特許文献１や特許文献２に開示される電気掃除機のように、集塵ユニットの後側に電動送風機を配置する電気掃除機の場合、電動送風機によって吸引された空気が集塵ユニットの濾過フィルタを通過するときに流れが乱れると、電動送風機が空気を吸引する効率が低下して電気掃除機の集塵効率が低下する。このような電気掃除機の集塵効率を向上するためには、集塵ユニットから出る空気を効率よく電動送風機で吸引することが好ましい。
【０００５】
そこで本発明は、集塵室を出て電動送風機に吸引される空気を整流して電動送風機の吸引効率を高め、集塵効率を向上できる電気掃除機を提供することを課題とする。
【課題を解決するための手段】
【０００６】
前記課題を解決するため、本発明は、集塵室と、電動送風機と、前記電動送風機の吸込口と前記集塵室を連通するダクトと、前記ダクトの開口を分割するように形成される複数の桟部材と、を備え、前記吸込口が前記開口と対向するように前記電動送風機が取り付けられる電気掃除機とする。そして、前記桟部材の、前記吸込口と対向する部分が、他の部分よりも前記吸込口側に厚みを増し、当該吸込口に向かって平板状に起立する整流リブが形成されていることを特徴とする。
【発明の効果】
【０００７】
本発明によると、集塵室を出て電動送風機に吸引される空気を整流して電動送風機の吸引効率を高め、集塵効率を向上できる電気掃除機を提供できる。
【図面の簡単な説明】
【０００８】
【図１】本実施形態に係る電気掃除機で蓋部が開いた状態を示す斜視図である。
【図２】電気掃除機の上本体ケースと集塵ケースを取り外した状態を示す斜視図である。
【図３】集塵ケースを後側から見た斜視図である。
【図４】（ａ）は除塵ユニットを後側から見た斜視図、（ｂ）は図４の（ａ）のＡ−Ａ断面を、電動送風機が接続された状態で示す図である。
【図５】横方向に形成される整流リブを有する除塵ユニットの斜視図である。
【図６】縦状桟と横状桟が形成される除塵ユニットを示す図である。
【発明を実施するための形態】
【０００９】
以下、本発明の実施形態について、適宜図を参照して詳細に説明する。
図１、図２に示すように、本実施形態に係る電気掃除機１は、下本体ケース３と上本体ケース４からなる掃除機本体２を有し、上本体ケース４には１つ以上の排気口４ａが開口している。そして、掃除機本体２の前側内部に集塵室としての集塵ケース１０が着脱自在に備わる。
なお、電気掃除機１は、説明上、図示しないホースが取り付けられる本体吸気口２ｃが開口する側を前側として前後方向を設定し、車輪１ａが備わる側を下側として上下方向を設定する。そして、上下方向を縦方向と称する場合があり、縦方向（上下方向）および前後方向と直交する方向を横方向と称する場合がある。さらに、横方向は、後側から見て左右方向を設定する。
【００１０】
図１に示すように、上本体ケース４には、例えば上下方向に回動して開閉可能に蓋体２ａが備わり、掃除機本体２の内部には、蓋体２ａが開いたときに外部に露出する空間となる集塵ケース室２ｂが形成される。そして、集塵ケース室２ｂに集塵ケース１０が着脱自在に収納される。
このような構成によって、蓋体２ａを開いて集塵ケース１０の出し入れ（着脱）が可能になる。なお、掃除運転中に蓋体２ａは閉じられる。
【００１１】
また、図２に示すように、掃除機本体２の内部は、板状の隔壁（除塵ユニット７）によって前後に分割され、前後に分割された前側に集塵ケース室２ｂが形成され、後側に電動送風機室が形成される。電動送風機室には電動送風機６が配置される。つまり、集塵ケース室２ｂと電動送風機６の間には除塵ユニット７が配置される。この構成によって、集塵ケース室２ｂに集塵ケース１０（図１参照）が収納されたとき、集塵ケース１０と電動送風機６の間に除塵ユニット７が配置される。なお、集塵ケース室２ｂは、蓋体２ａによって閉じられる閉塞空間であってもよいし、蓋体２ａのない開放空間であってもよい。
【００１２】
さらに、図２に示すように、外部から取り込んだ電力を電動送風機６や図示しない電装部品に供給するコード９ｂを巻取り収納するコードリール９が、電動送風機６の横に並んで掃除機本体２の内部に配置される。コードリール９は、コード９ｂを巻き取るリール９ａを有して構成される。
【００１３】
コード９ｂは、使用者が引くことによって回転するリール９ａから解放され、電気掃除機１の例えば後側から掃除機本体２の外部に向かって延びる。また、使用者が巻取りボタン９ｃ（図１参照）を操作すると、コードリール９の巻きバネ（図示せず）の力でリール９ａが回転してコード９ｂを巻き取るように構成される。
【００１４】
集塵ケース１０は、図３に示すように、ケース部材１１と、塵埃収容器２０と、フィルタ部材１５と、を有して構成される。
ケース部材１１の前側は蓋部材１２によって閉塞され、蓋部材１２には図示しない集塵口が開口している。
なお、集塵ケース１０が集塵ケース室２ｂ（図２参照）に収納されたときに電気掃除機１（図１参照）の前側になる側を前側として、ケース部材１１の前後方向および横方向（左右方向）を設定する。また、使用者が集塵ケース１０を持つときに把持するハンドル１６が備わる側を上側として、ケース部材１１の上下方向を設定する。
【００１５】
塵埃収容器２０はケース部材１１内で蓋部材１２の後側に配置され、蓋部材１２に開口する図示しない集塵口に対する部分が開口している容器状を呈する。
また、塵埃収容器２０の周囲は骨格部材２０ｂで形成され、骨格部材２０ｂ間にはメッシュ状のフィルタ（集塵フィルタ２０ａ）が貼り付けられる。
そして、図示しない集塵口からケース部材１１内に取り込まれる空気に含まれ、集塵フィルタ２０ａを通過できない塵埃等の固形物が塵埃収容器２０に集塵されるように構成される。
【００１６】
蓋部材１２は、ケース部材１１に対し、例えば前側に向かって回動可能に取り付けられ、使用者が操作ボタン１３を操作することで開くように構成される。そして、蓋部材１２が開いたときに、塵埃収容器２０に集塵された塵埃等の固形物を排出できるように構成される。
【００１７】
また、フィルタ部材１５は、開口しているケース部材１１の後側に備わる。
フィルタ部材１５はケース部材１１の開口部と略同形状を呈する枠状部材３０に取り付けられるフィルタ部（波型フィルタ１５ｂ）を有している。波型フィルタ１５ｂは、塵埃を通過させず空気のみ通過させるような特性のエアフィルタ（例えば、ＨＥＰＡフィルタ(High Efficiency Particulate Air Filter)）である。
【００１８】
波型フィルタ１５ｂは、前記したようなエアフィルタのシート（フィルタシート）がひだ状（プリーツ状）に折り畳まれて形成される。そして、本実施形態に係るフィルタ部材１５は、折り畳みによって波型フィルタ１５ｂに形成されるひだの折り目の方向が縦方向（電気掃除機１(図１参照)の上下方向）になるようにケース部材１１に取り付けられる。したがって、波型フィルタ１５ｂには、縦方向（上下方向）および前後方向と直交する横方向（左右方向）に山部と谷部が交互に形成される。
【００１９】
フィルタ部材１５は、ケース部材１１の下側に設けられたヒンジ１５ａを回転中心として回動可能にケース部材１１に取り付けられ、ケース部材１１を開閉自在に構成される。通常、フィルタ部材１５は、ケース部材１１の上部に設けられた係止部１８のフックによって閉状態に係止されている。
そして、例えばハンドル１６に備わる操作ボタン１６ａを使用者が操作すると、係止部１８による係止が解除されてフィルタ部材１５が開くように構成される。使用者は、フィルタ部材１５を開いて波型フィルタ１５ｂのケース部材１１側を露出させて清掃できる。なお、操作ボタン１６ａは、ハンドル１６に備わる構成に限定されない。
【００２０】
このようなフィルタ部材１５は、前記した塵埃収容器２０の後側に配置され、塵埃収容器２０の集塵フィルタ２０ａを通過した細かな微細塵を捕集するように構成される。したがって、塵埃収容器２０の集塵フィルタ２０ａの目開きは、フィルタ部材１５の波型フィルタ１５ｂの目開きよりも粗く（大きく）なっている。
【００２１】
以上のように構成されるケース部材１１と、フィルタ部材１５と、塵埃収容器２０と、を有する集塵ケース１０は、図１に示すように、フィルタ部材１５が電動送風機６（図２参照）の側になるように集塵ケース室２ｂに収納される。なお、集塵ケース１０の構成は図３に示す構成に限定されない。例えば、塵埃収容器２０は無くてもよいし、蓋部材１２を備えることなくケース部材１１の前側が閉塞していてもよい。
そして、前記したように集塵ケース１０と電動送風機６の間には、除塵ユニット７（図２参照）が配置される。この構成によって、集塵ケース１０のフィルタ部材１５（波型フィルタ１５ｂ）と電動送風機６は、除塵ユニット７を介して対向する。
【００２２】
電動送風機６（図２参照）が駆動すると、本体吸気口２ｃ（図１参照）、集塵ケース１０を介して空気を吸引し、吸引された空気（以下、吸引空気と称する）は、塵埃収容器２０（図３参照）、フィルタ部材１５（波型フィルタ１５ｂ）、除塵ユニット７を通過して電動送風機６に到達するように構成される。
このとき、吸引空気に含まれる塵埃等の固形物の大半は、集塵ケース１０の集塵フィルタ２０ａ（図３参照）を通過できずに塵埃収容器２０で集塵されるが、集塵フィルタ２０ａを通過した細かな塵埃はフィルタ部材１５の波型フィルタ１５ｂ（図３参照）で捕集される。
【００２３】
なお、図３に示すフィルタ部材１５のケース部材１１側に図示しないネットフイルタを備え、細かな砂塵等を濾過して捕集する構成としてもよい。
波型フィルタ１５ｂは、ネットフイルタで濾過されなかった更に細かな塵埃を濾過して捕集する。波型フィルタ１５ｂは、前記したように通気性を有するエアフィルタで形成され、極細かな塵埃まで濾過するので、電気掃除機１の排気は清浄度が極めて高くなる。
【００２４】
次に、図４を参照して除塵ユニット７の構成を説明する。
図４の（ａ）に示すように、除塵ユニット７は除塵ユニットベース２８を有し、この除塵ユニットベース２８に関連する部品が取り付けられて構成される。
除塵ユニットベース２８は、電動送風機６（図２参照）が接続されるベースであり、電動送風機６の接続位置に対応して、吸引空気が流通する通気口４０が開口している。そして、波型フィルタ１５ｂ（図３参照）が通気口４０と対向するように、集塵ケース１０（図１参照）は集塵ケース室２ｂ（図２参照）に収納され、波型フィルタ１５ｂを通過した吸引空気が、通気口４０を通過して電動送風機６に吸引されるように構成される。
【００２５】
なお、除塵ユニット７の前後方向および左右方向は、電気掃除機１（図１参照）の前後方向および左右方向と一致する。そして、通気口４０の左側の領域は、図２に示すコードリール９が配置される領域になる。
【００２６】
除塵ユニットベース２８の後側、つまり、電動送風機６（図４の（ｂ）参照）が接続される側には、通気口４０を外側から囲うように二重リング４１が形成される。
二重リング４１は、通気口４０が開口する面から除塵ユニットベース２８の後側に向かって壁状に起立して形成される。
【００２７】
図４の（ｂ）に示すように、二重リング４１には気密シール４１ａを介して電動送風機６が接続される。例えば電動送風機６の外形が円筒状の場合、二重リング４１は電動送風機６の外形の直径と等しい直径で形成されることが好ましい。
また、電動送風機６は筐体６ｂの一端が開口して吸込口６ａが形成され、電動機６ｃで回転するファン６ｄによって吸込口６ａから空気が吸引されるように構成される。本実施形態では、回転軸方向が電気掃除機１（図１参照）の前後方向に沿った方向になるように電動送風機６が配置される（横置き）。この場合、電動送風機６の吸込口６ａが前側を向く。
【００２８】
そして、電動送風機６は、吸込口６ａが除塵ユニットベース２８の通気口４０と対向し、かつ、筐体６ｂと二重リング４１が気密シール４１ａによって密着するように接続される。
この構成によって、通気口４０を通過した吸引空気は、電動送風機６に吸込口６ａから漏れなく吸引される。このような二重リング４１は電動送風機６の吸込口６ａと除塵ユニット７の通気口４０を連通するダクトとして機能する。
なお、電動送風機６は図示しない固定手段（固定ネジ等）によって、例えば下本体ケース３（図２参照）に固定される。
【００２９】
また、除塵ユニット７の前側には図２に示すように集塵ケース室２ｂが形成され、波型フィルタ１５ｂ（図３参照）が通気口４０と対向するように集塵ケース１０（図３参照）が収納される。
集塵ケース１０と除塵ユニット７の接続部は、図示しない気密保持部材（パッキン等）によって気密性が維持されることが好ましく、この構成よって、波型フィルタ１５ｂを通過した吸引空気を漏れなく通気口４０に到達させることができる。
したがって、電動送風機６の吸込口６ａと除塵ユニット７の通気口４０を連通する二重リング４１は、集塵ケース１０と電動送風機６の吸込口６ａを連通するダクトとして機能する。そして、通気口４０はダクト（二重リング４１）の集塵室側（集塵ケース１０側）の開口になる。
【００３０】
なお、電動送風機６の筐体６ｂ内に吸引された空気（吸引空気）は、筐体６ｂに適宜開口する排気口（図示せず）から筐体６ｂの外部に排気され、さらに、電気掃除機１の上本体ケース４に開口する排気口４ａ（図１参照）から掃除機本体２（図１参照）の外部に排気されるように構成される。
【００３１】
このように電動送風機６が接続される二重リング４１の高さ（通気口４０が開口する面から後側に向かう高さ）は、例えば、取り付けられる電動送風機６の形状や性能仕様等に合わせて適宜決定されることが好ましい。
【００３２】
また、本実施形態においては筐体６ｂの外形が円筒状の電動送風機６を想定し、筐体６ｂの直径と等しい直径の二重リング４１を除塵ユニットベース２８に形成する構成としたが、電動送風機６の筐体６ｂの外形が円筒状でない場合は、二重リング４１に替えて、筐体６ｂの外形に応じた接続部を形成すればよい。
さらに、筐体６ｂが密着できる構造であればよく、二重であることは限定されない。
【００３３】
また、図４の（ａ）に示すように、通気口４０には、二重リング４１と同心円状に形成される複数（図４の（ａ）には３つを図示）の環状部材（環状桟４０ａ）と、環状桟４０ａの半径方向に延びる複数の直線状の棒状部材（放射状桟４０ｂ）が形成され、通気口４０は複数の桟部材（環状桟４０ａ、放射状桟４０ｂ）で分割される。
放射状桟４０ｂは、例えば、図４の（ａ）に示すように、環状桟４０ａの中心を中心として環状桟４０ａの半径方向に広がって延びる放射状に形成され、環状桟４０ａの中心を通る放射状桟４０ｂと、環状桟４０ａの中心を通らずに環状桟４０ａの周縁部から広がる放射状桟４０ｂと、が適宜形成される。
【００３４】
つまり、本実施形態においては、同心円状に配置される複数（３つ）の環状桟４０ａと、複数の放射状桟４０ｂと、が複数の桟部材になる。
この構成によって、環状桟４０ａおよび放射状桟４０ｂで分割された１つの領域の面積を超える大きさの断面積を有する固形物が通気口４０を通過することを阻止できる。また、複数の桟部材（環状桟４０ａ、放射状桟４０ｂ）によって、電動送風機６に吸引される吸引空気の流れが整流される。
なお、環状桟４０ａの数は３つに限定されるものではなく、２つ以下であってもよいし４つ以上であってもよい。また、複数の桟部材（環状桟４０ａ、放射状桟４０ｂ）は、集塵ケース室２ｂ（図２参照）側の開口である通気口４０に形成される代わりに、ダクト（二重リング４１）内や、ダクト（二重リング４１）の電動送風機６（図２参照）側の開口に形成されていてもよい。つまり、集塵ケース室２ｂと電動送風機６とを連通するダクト（通気口４０および二重リング４１を含む）の開口に形成されていればよい。
【００３５】
図４の（ｂ）に示すように、二重リング４１の中心部には電動送風機６の吸込口６ａが配置されることから、図４の（ａ）に示すように、吸込口６ａと対向する位置に同心円状に複数（例えば３つ）の環状桟４０ａを形成し、その周囲に放射状に広がるように複数の放射状桟４０ｂを形成する構成になっている。
【００３６】
例えば、電動送風機６の吸込口６ａが通気口４０の側から見て円形の場合、吸込口６ａの中心と環状桟４０ａの中心と、が一致し、吸込口６ａと環状桟４０ａが互いに同心円の位置に配置される。
このような構成は、本実施形態に係る電動送風機６が最も効率よく吸引空気を吸引できる形状として実験等によって決定したものであり、この構成に限定するものではない。
また、例えば、図４の（ａ）、（ｂ）に示すように、環状桟４０ａの中心から離れた周縁部を、電動送風機６の側に厚く形成してもよい。
【００３７】
複数の環状桟４０ａおよび複数の放射状桟４０ｂは、蓋体２ａ（図１参照）が開かれて集塵ケース１０（図１参照）が取り出された状態のときに、集塵ケース室２ｂ（図２参照）から吸込口６ａを介して電動送風機６に異物が入り込むのを防ぐために設けられる。また、使用者の指が電動送風機６に接触することを防止することも目的とする。
そのため、複数の環状桟４０ａおよび複数の放射状桟４０ｂは、想定する異物や人間の指が容易に通過しない太さや間隔、かつ、吸引空気の通過を極力妨げない太さや間隔で設けられることが好ましい。このような太さや間隔は実験等で適宜決定することができる。
【００３８】
また、除塵ユニットベース２８の前側に通気口４０を覆うように図示しない保護フィルタが取り付けられる場合、複数の環状桟４０ａおよび複数の放射状桟４０ｂは、当該保護フィルタを保持する機能も有する。
【００３９】
そして、本実施形態に係る除塵ユニット７には、整流機能を有する複数の桟部材に加えて、整流リブ４２が形成される。
本実施形態に係る整流リブ４２は、図４の（ａ）、（ｂ）に示すように、除塵ユニットベース２８と電動送風機６との間に、電動送風機６の吸込口６ａに向かって平板状に起立する板状部として形成される。
【００４０】
整流リブ４２は、例えば環状桟４０ａの中心、つまり、吸込口６ａの中心を通って縦方向に形成される。この場合、縦方向の長さは限定するものではないが、例えば、図４の（ｂ）に示すように、吸込口６ａの縦方向の長さと同じ長さとすることができる。
例えば、整流リブ４２の縦方向の長さを、吸込口６ａの直径と同じ長さにすることができる。
【００４１】
整流リブ４２の高さ（通気口４０から電動送風機６に向かう高さ）は限定するものではなく、例えば、図４の（ｂ）に示すように、通気口４０から電動送風機６までの高さとしてもよいし、図示はしないが、整流リブ４２の端部がわずかに吸込口６ａ内に入り込む高さまで延ばしてもよい。
【００４２】
図４の（ｂ）に示すように除塵ユニットベース２８に取り付けられる電動送風機６が吸込口６ａから吸引空気を吸引するとき、吸込口６ａの近傍で吸引空気の流速が最も高くなる。したがって、吸込口６ａの近傍で吸引空気の流れが乱れると、電動送風機６が吸引空気を吸引する効率が低下する。
そこで、例えば、整流リブ４２の吸込口６ａ側の端部が、吸込口６ａの近傍に達するように整流リブ４２の高さ（通気口４０からの高さ）を決定することで、吸込口６ａの近傍における吸引空気を整流でき、電動送風機６が吸引空気を吸引する効率の低下を防止できる。
ここでいう近傍は、例えば電動送風機６の構造や性能等によって決定される距離であり、電動送風機６の特性値として実験計測等で決定される位置である。
【００４３】
また、整流リブ４２の側面（起立した面）の形状も限定するものではなく、図４の（ｂ）に示すように、電動送風機６の吸込口６ａに近づくに従って縦方向の長さが短くなる形状（例えば台形形状）であってもよいし、図示はしないが長方形形状であってもよい。
例えば、図４の（ｂ）に示すように台形形状にすると、整流リブ４２の端部が吸込口６ａの近傍にあるときに、電動送風機６の吸込口６ａの周縁部と整流リブ４２の間に好適な間隙を形成することができ、電動送風機６が振動等で動いたときに、電動送風機６と整流リブ４２が接触することを防止できる。さらに、整流リブ４２の通気口４０側を大きくすることができる。吸込口６ａに近づくに従って縦方向の長さが短くなる形状の他の例としては、いずれも図示しないが三角形や半円形などがある。
【００４４】
また、整流リブ４２の板厚（高さおよび前後方向と直交する方向の長さ）も限定するものではなく、例えば、放射状桟４０ｂの太さを板厚とすればよい。または、放射状桟４０ｂの太さより薄い板厚としてもよい。このように整流リブ４２の板厚を放射状桟４０ｂの太さと同等またはそれ以下にすると、整流リブ４２が放射状桟４０ｂから通気口４０（図４の（ａ）参照）に向かってはみ出ることがなく、通気口４０を通過する吸引空気の流れを妨げない。さらに、整流リブ４２の板厚を、電動送風機６に近づくに従って薄くしてもよい。
【００４５】
なお、例えば、整流リブ４２が形成される部分以外で通気口４０（図４の（ａ）参照）を通過する吸引空気の流量が確保できる場合には、整流リブ４２の板厚を放射状桟４０ｂの太さより厚く構成してもよく、整流リブ４２の板厚は限定するものではない。
【００４６】
このような整流リブ４２の形状（高さ、板厚、側面の形状など）は、本実施形態に係る電動送風機６が最も効率よく吸引空気を吸引できる形状として、実験や解析によって決定することが好ましい。
【００４７】
また、前記したように、フィルタ部材１５（図３参照）は、波型フィルタ１５ｂ（図３参照）のひだの折り目の方向が縦方向になるように集塵ケース１０（図１参照）に取り付けられることから、整流リブ４２を縦方向に形成すると、波型フィルタ１５ｂのひだの折り目の方向に沿った方向に整流リブ４２を形成することができる。
【００４８】
波型フィルタ１５ｂのひだの折り目の方向が縦方向の場合、前記したように、縦方向と直交する横方向には山部と谷部が交互に形成される。したがって、波型フィルタ１５ｂを通過する吸引空気は横方向で山部と谷部の異なる部分を通過することになって、横方向に均一な流れとなることができず、横方向に流れが乱れやすくなる。そこで、縦方向に整流リブ４２を形成することによって、横方向に流れが乱れた吸引空気を整流することができる。もちろん、横方向に形成される整流リブ４２であっても整流効果を得ることができ、電気掃除機１（図１参照）の集塵効率を向上できる。
【００４９】
このように、波型フィルタ１５ｂのひだの折り目の方向に沿って整流リブ４２を形成することによって、電動送風機６（図１参照）に吸引される吸引空気を、通気口４０を通過した後で整流することができ、電動送風機６が効率よく吸引空気を吸引できる。
電動送風機６が吸引空気を吸引する効率が向上すると、電気掃除機１（図１参照）の集塵効率が向上する。つまり、整流リブ４２を設けることによって電気掃除機１の集塵効率を向上できる。
【００５０】
また、フィルタ部材１５（図３参照）は電気掃除機１（図１参照）の左右方向に対し最大限面積を確保する大きさになっているのに対し、電動送風機６（図２参照）は本体の中心に対し右方向にずれて配置している。
これは、図２に示すように、コードリール９と電動送風機６を並列に配置することで本体スペースを有効に使用し電気掃除機１が大きくならないようにしているためであるが、そのために、フィルタ部材１５と電動送風機６の中心位置がずれることになる。このことによって、フィルタ部材１５を介して電動送風機６の吸込口６ａ（図４の（ｂ）参照）に入り込む吸引空気の流れに、本体の左右方向で流量の差が生まれ、吸込口６ａの直前の流れが乱れる。そこで、整流リブ４２を縦方向に形成することで吸込口６ａ直前の流れの整流効果を得ることができ、電気掃除機１の集塵効率を向上できる。
【００５１】
また、本実施形態では、整流リブ４２を放射状桟４０ｂと一体成型することができる。例えば、図４の（ａ）に示す環状桟４０ａの中心を通って縦方向に直線状に形成される放射状桟４０ｂの、電動送風機６の吸込口６ａ（図４の（ｂ）参照）と対向する部分を、他の部分よりも吸込口６ａ側に厚みを増して吸込口６ａ側に起立させ、厚みを増して起立した部分で板状部を形成することによって、整流リブ４２と放射状桟４０ｂを一体成型できる。したがって、整流リブ４２を形成する別部品を取り付ける必要がなく、除塵ユニットベース２８を構成する部品点数を増やすことなく整流リブ４２を設けることができる。
ここでいう他の部分は、電動送風機６の吸込口６ａと対向していない部分を示す。
また、吸込口６ａ側に増した放射状桟４０ｂの厚みが整流リブ４２の高さになる。
【００５２】
例えば、除塵ユニットベース２８が樹脂成型部材等、金型成型による成型が可能な部材の場合、除塵ユニットベース２８を成型する金型を加工することによって、容易に、かつ、安価に整流リブ４２を形成できる。
【００５３】
また、整流リブ４２が形成された部分の強度を高めることができる。環状桟４０ａと放射状桟４０ｂは、電動送風機６（図４の（ｂ）参照）と対向する位置、すなわち、吸引空気の流路に形成されることから、電動送風機６が吸引空気を吸引するときに振動する場合がある。
整流リブ４２を形成して、放射状桟４０ｂの強度を向上することで、電動送風機６が吸引空気を吸引するときの振動を軽減できる。ひいては、環状桟４０ａと放射状桟４０ｂの振動で発生する騒音等を軽減できる。
【００５４】
また、整流リブ４２（図４の（ａ）参照）の形状を呈した板状の部材を放射状桟４０ｂに取り付けて固定し、整流リブ４２としてもよい。この構成によると、例えば、整流リブ４２が形成されていない除塵ユニット７（図４の（ａ）参照）にも整流リブ４２を取り付けることができ、電気掃除機１（図１参照）の集塵効率を向上できる。
【００５５】
以上のように、本実施形態に係る電気掃除機１（図１参照）は、集塵ケース１０（図１参照）と電動送風機６（図２参照）の間に配置される除塵ユニット７の通気口４０（図４の（ａ）参照）に、整流リブ４２（図４の（ａ）参照）が形成される。
そして、整流機能を有する複数の環状桟４０ａおよび複数の放射状桟４０ｂに加えて、縦方向（上下方向）の放射状桟４０ｂの１つを、電動送風機６の側に厚みを増して起立させて整流リブ４２を形成することによって、除塵ユニット７の通気口４０を通過した空気を整流することができ、電動送風機６が吸引空気を吸引するときの効率を向上させて電気掃除機１の集塵効率を向上することができる。
【００５６】
なお、本発明は発明の趣旨を逸脱しない範囲において適宜設計変更可能である。
前記したように、整流リブ４２は、波型フィルタ１５ｂ（図３参照）のひだの折り目の方向に沿って形成されることが好ましいことから、波型フィルタ１５ｂのひだの折り目の方向が横方向に形成される場合は、図５に示すように、横方向に整流リブ４２を形成することが好ましい。
この場合、環状桟４０ａの中心を通って横方向に直線状に形成される放射状桟４０ｂの、電動送風機６の吸込口６ａ（図４の（ｂ）参照）と対向する部分を、他の部分よりも吸込口６ａ側に厚みを増して吸込口６ａ側に起立させ、厚みを増して起立した部分で板状部を形成することによって、整流リブ４２と放射状桟４０ｂを一体成型できる。
【００５７】
また、その他の形状として、例えば縦方向に形成される整流リブ４２と横方向に形成される整流リブ４２を備える構成としてもよい。
【００５８】
つまり、整流リブ４２（図４の（ａ）参照）の形状は限定するものではなく、電気掃除機１の掃除機本体２（図１参照）の外形形状、電動送風機６（図２参照）の仕様、掃除機本体２内を流れる吸引空気の流路の形状、吸引空気の流量などに応じて、電動送風機６が最も効率よく吸引空気を吸引できる形状とすればよい。
【００５９】
また、例えば、図６に示すように、上下方向（縦方向）に形成される複数の直線状の棒状部材（縦状桟４０ｃ）と、横方向（左右方向）に形成される複数の直線状の棒状部材（横状桟４０ｄ）と、が格子状に直交する構成の除塵ユニット７にも整流リブ４２を形成できる。この構成では、複数の縦状桟４０ｃと、複数の横状桟４０ｄと、が複数の桟部材になる。
【００６０】
この場合、例えば縦状桟４０ｃの、電動送風機６の吸込口６ａ（図４の（ｂ）参照）と対向する部分を、他の部分よりも吸込口６ａ側に厚みを増して吸込口６ａ側に起立させ、厚みを増して起立した部分で板状部を形成することによって、整流リブ４２と縦状桟４０ｃを一体成型できる。
または、横状桟４０ｄの、電動送風機６の吸込口６ａと対向する部分を、他の部分よりも吸込口６ａ側に厚みを増して吸込口６ａ側に起立させて板状部を形成すると整流リブ４２を横方向に形成できる。
なお、横状桟４０ｄと縦状桟４０ｃが直交する構成に限定されず、９０度以外の所定の角度で縦状桟４０ｃと横状桟４０ｄが交差する構成であっても、整流リブ４２と縦状桟４０ｃを一体成型できる。
【００６１】
また、図示はしないが、図６に示す縦状桟４０ｃおよび横状桟４０ｄと、図４の（ａ）に示す環状桟４０ａと、が組み合わさった構成であっても、図４の（ａ）や図５に示すような整流リブ４２を、例えば縦状桟４０ｃや横状桟４０ｄと一体に形成できる。
さらに、図示はしないが、図４の（ａ）に示す二重リング４１の中心を中心として二重リング４１の半径方向に放射状に広がる放射状桟４０ｂのみが形成される構成であっても、図４の（ａ）や図５に示すような整流リブ４２を、放射状桟４０ｂと一体に形成できる。
このように、図４の（ａ）や図５に示す整流リブ４２は、桟部材の形状や配置によらずに適宜形成することができる。
【００６２】
また、図１に示す集塵ケース１０の替わりに、図示しない集塵袋を集塵室として集塵ケース室２ｂに取り付ける構造の電気掃除機１に本実施形態を適用することもできる。この場合、使用者は電気掃除機１を使用するとき、集塵ケース室２ｂに図示しない集塵袋を取り付け、電気掃除機１の使用が終了したときに図示しない集塵袋を取り外し、集塵された塵埃ごと集塵袋を廃棄する。
【００６３】
図示しない集塵袋には波型フィルタ１５ｂ（図３参照）が備わらず、ひだの折り目の方向に沿った方向に整流リブ４２（図４の（ａ）参照）を形成することができない。
この場合は、例えば実験によって、電動送風機６（図２参照）が最も効率よく吸引空気を吸引できるように整流リブ４２の形状を決定すればよい。
【００６４】
また、本実施形態においては、下本体ケース３（図２参照）と別体に構成した除塵ユニット７（図４の（ａ）参照）に通気口４０（図４の（ａ）参照）を設けているが、例えば、下本体ケース３と一体に形成される板状の隔壁（除塵ユニット７等）に通気口４０を設ける構成としてもよい。
【符号の説明】
【００６５】
１      電気掃除機
６      電動送風機
６ａ    吸込口
１０    集塵ケース（集塵室）
１５ｂ  波型フィルタ（フィルタ部材）
４０    通気口（開口）
４０ａ  環状桟（桟部材）
４０ｂ  放射状桟（桟部材）
４０ｃ  縦状桟（桟部材）
４０ｄ  横状桟（桟部材）
４１    二重リング（ダクト）
４２    整流リブ（桟部材）
【図１】
0005541994.tif 000002
【図２】
0005541994.tif 000003
【図３】
0005541994.tif 000004
【図４】
0005541994.tif 000005
【図５】
0005541994.tif 000006
【図６】
0005541994.tif 000007